(57)【特許請求の範囲】
【請求項１】
基準面に沿ってそれぞれ一方向に延在するように複数の木質材からなる框材が互いに間隔を置いて配置され、前記複数の框材間に木質材以外の材料からなるパネル材が配置され、前記複数の框材と前記パネル材とは、前記框材の側面に形成された溝内にパネル材の側部を嵌合することにより結合され、前記複数の框材の前記一方向に直交する端面に、前記パネル材の端部を補強する補強部材が設けられた複合ドアにおいて、
前記補強部材は、前記パネル材の端部を補強する補強部と、この補強部の両端部に連設され、前記框材の端面に固定される固定部とを備えてなり、
前記固定部が平板により形成されると共に、該框材に螺子止め手段により密着固定され、
前記補強部材には、前記框材間方向に延在するように開口部が形成され、
前記パネル材の端部が前記開口部に嵌合されていることを特徴とする複合ドア。
【請求項２】
請求項１に記載の複合ドアにおいて、
前記補強部には、前記開口部の周縁部から前記パネル材の板面に沿って延出する第１の補強壁部が形成されていることを特徴とする複合ドア。
【発明の詳細な説明】
【技術分野】
【０００１】
本発明は、採光等において好適な複合ドアに関する。
【背景技術】
【０００２】
一般に、建物内の各部屋又は玄関に用いられる扉には、意匠上又は採光等の観点から、扉の端部間に亘って延在する透明又は半透明のガラス等のパネルを、木質材による複数の框材の間に配置し、各端部同士を嵌合させて構成された複合ドアが広く用いられている。
【０００３】
この種の複合ドアには、扉の開閉時に異なる材質の板状体間において撓みが生じるのを防止するために、框材及びパネル板に亘らせて該複合扉の端面に補強部材が配されることがあり、このような補強部材を有するものとしては、下記特許文献１に開示されたものが知られている。
【０００４】
特許文献１に開示された複合ドアは、図７（ａ）、（ｂ）に示すように、上下方向に延在する２つの框材１０１ａ、１０１ｂが互いに離間するように配置され、該２つの框材１０１ａ、１０１ｂの間にパネル板１０２が配置されており、かつ、該複合ドア１００の上下端に補強部材１０３が嵌合された構成とされている。
【０００５】
一方の框材１０１ａは、矩形に形成された木質材よりなる平板体であり、その側面の上下方向には、パネル板１０２の端部が嵌合される溝１０４、１０４が形成され、上下端面には、補強部材を嵌合させる凹所１０５、１０５が形成されている。他方の框材１０１ｂも一方の框材１０１ａと左右対象の形状となるように構成されている。
また、パネル板１０２は、一方向に延在するよう矩形に形成されたガラス等の板体により構成されるものである。
【０００６】
補強部材１０３は、主壁部１０３ａの長手方向の両側部に垂直に折曲するようにして形成された側壁部１０３ｂ、１０３ｂが設けられた、断面コ字状の部材であり、パネル材１０２の撓みを防止し、框材１０１ａ、１０１ｂとパネル材１０２との間の強度を補うために用いられるものである。また、主壁部１０３ａの両端部には、框材１０１ａ、１０１ｂの厚み方向の中央部に、框間方向に一直線上に形成された２つの取付孔１０６、１０６・・が形成されている。
この補強部材１０３は、各框材１０１ａ、１０１ｂの中間部間に亘って上下端の凹所１０５、１０５に嵌合されている。
【先行技術文献】
【特許文献】
【０００７】
【特許文献１】特許第４０１１０４３号公報
【発明の概要】
【発明が解決しようとする課題】
【０００８】
ところで、上記補強部材１０３は、框材１０１ａ、１０１ｂとパネル材１０２との間の強度を補い、複合ドア１００の開閉時において撓みが発生するのを防止する役割を果たしている。
【０００９】
しかし、上記の補強部材１０３によると、螺子止めを行う取付孔１０６、１０６・・が框材１０１ａ、１０１ｂの厚み方向中央部において一直線上に形成されているため、木材の木目によっては同一の木目の条上に螺子止めをすることになり、木材がひび割れしてしまうことがあるという問題があった。
また、框材１０１ａ、１０１ｂが、早成樹等の剛性の低い木質材を芯材とし、これを剛性の高い平板材で挟んで構成されている場合、凹所１０５の側壁１０７側に位置する剛性の高い板材の位置でネジ止めをすることが望まれるが、凹所１０５に補強部材が嵌合される構成であるので、剛性の低い芯材の部分においてネジ止めをせざるを得ず、補強部材の確実な固定が困難であるという問題があった。
【００１０】
また、補強部材１０３が断面コ字状の構成とされているため、取付孔１０６、１０６と凹所１０５の底部との距離が離間しており、ネジ止め等を確実に行い難いという問題があった。
【００１１】
また更に、框材１０１ａ、１０１ｂの厚み方向の内方に補強部材１０２を嵌合させる凹所１０５、１０５を形成するにあたっては、凹所の側壁１０７、１０７・・が剛性を有しうるように一定の厚みを持たせなければならないが、框材の厚みによっては、補強部材１０３の主壁部１０３ａの幅を小寸法とせざるを得ず、使用する取付孔１０６、１０６・・及び螺子の選択が制限的となり、取付作業を行いにくくなり得るという問題があった。
【課題を解決するための手段】
【００１２】
上記課題を解決するために、この発明は以下の手段を提供している。
請求項１の発明は、基準面に沿ってそれぞれ一方向に延在するように複数の木質材からなる框材が互いに間隔を置いて配置され、前記複数の框材間に木質材以外の材料からなるパネル材が配置され、前記複数の框材と前記パネル材とは、前記框材の側面に形成された溝内にパネル材の側部を嵌合することにより結合され、前記複数の框材の前記一方向に直交する端面に、前記パネル材の端部を補強する補強部材が設けられた複合ドアにおいて、前記補強部材は、前記パネル材の端部を補強する補強部と、この補強部の両端部に連設され、前記框材の端面に固定される固定部とを備えてなり、前記固定部が平板により形成されると共に、該框材に螺子止め手段により密着固定され、前記補強部材には、前記框材間方向に延在するように開口部が形成され、前記パネル材の端部が前記開口部に嵌合されていることを特徴とする。
【００１３】
請求項２の発明は、請求項１に記載の複合ドアにおいて、前記補強部には、前記開口部の周縁部から前記パネル材の板面に沿って延出する第１の補強壁部が形成されていることを特徴とする。
【発明の効果】
【００１６】
請求項１に記載の複合ドアによれば、框材端面の内方に凹所を形成することを要件としないため、補強部材の固定部の框材厚み方向の寸法を大きくすることができ、螺子止めの位置の自由度が高まる。よって、同一の木目上とならない任意の位置において螺子止め手段により固定した場合、框材が割れてしまうという問題を回避することができるという効果を奏する。また、任意の位置に螺子止め手段を用いることが出来るため、補強部材の固定が確実となる框材の剛性の高い部分において螺子止め手段をすることができるという効果が得られる。また、補強部材の平板状の固定部を框材の上下端部に密着して固定することができるため、螺子止め等を容易かつ的確に行うことができ、更に、螺子止め手段による補強が確実になるという効果を奏する。そして、框材間方向に延在するように開口部が形成され、パネル材の端部が前記開口部に嵌合されているため、パネル材の端部を補強部材によって直接に狭持し補強することができるという効果を奏する。
【００１７】
請求項２に記載の複合ドアによれば、開口部の周縁部からパネル材の板面に沿って延出する第１の補強壁部が形成されているため、パネル板の端部を狭持してパネル板を直接に補強することができるという効果を奏する。
【図面の簡単な説明】
【００２１】
【図１】は、本発明の第１の実施形態として示した複合ドアを示した正面図である。
【図２】（ａ）は、本発明の第１の実施形態として示した複合ドアの上端面の一部を示した平面図であり、（ｂ）は図１をＩＩ−ＩＩ線において矢視した断面図である。
【図３】は、本発明の第１の実施形態として示した複合ドアにおける補強部材を示した斜視図である。
【図４】（ａ）は、本発明の第２の実施形態として示した複合ドアの上端面の一部を示した平面図であり、（ｂ）は（ａ）をＩＩＩ−ＩＩＩ線において矢視した断面図である。
【図５】（ａ）は、本発明の第３の実施形態として示した複合ドアの上端面の一部を示した平面図であり、（ｂ）は、開口部形成前の補強部材を示した平面図であり、（ｃ）は（ａ）をＩＶ−ＩＶ線において矢視した断面図である。
【図６】は、（ａ）は、複合ドアの上端面の一部を示した平面図であり、（ｂ）は、第２の補強壁部形成前の補強部材を示した平面図であり、（ｃ）は（ａ）をＶ−Ｖ線において矢視した断面図である。
【図７】（ａ）は、従来の複合ドアを示す分解部分斜視図であり、（ｂ）は、（ａ）を上面から見た平面図である。
【発明を実施するための形態】
【００２２】
以下、図面を参照して本発明の実施形態について説明する。
図１において、符号１Ａは、本実施形態による複合ドアであって、上下方向に延在する一対の框材２、３が同一の基準面に沿って互いに離間するように配置され、これらの框材２、３の間においてパネル材４が配置、支持されており、かつ框材２、３の上下端面に補強部材５、６が配置された構成とされている。
【００２３】
図１、図２（ａ）に示すように、一方の框材２は、矩形に形成された平板体であり、パネル材４が配される側の側面２ａには、框材２の上端から下端に渡ってパネル材４を嵌合する溝７が形成されている。
【００２４】
また、図２（ｂ）に示すように、框材２の上端面２ｂには、補強部材５が嵌め込まれる凹所１１ａが形成されており、下端面２ｃにも同様にして、補強部材８が嵌め込まれる凹所１２ａが形成されている。
【００２５】
他方の框材３にも、一方の框材２と左右対象の形状となるように、溝８がパネル材４側の側面３ａに形成され、更に框材３の上下端３ｂ、３ｃに補強部材５、６を嵌め込む凹所１１ｂ、１２ｂが形成されている。
【００２６】
これらの凹所１１ａ、１１ｂは、補強部材５が框材２、３の上端面２ｂ、３ｂにおいて面一になるよう補強部材５の厚み分の深さ寸法を有し、幅寸法（すなわち框材２、３の厚み方向の寸法）も補強部材５の幅寸法と同寸法とされている。また、凹所１１ａ、１１ｂの框２、３間方向のそれぞれの長さ寸法Ｌは、図２（ａ）に示すように、パネル材４を框材２、３の側面２ａ、３ａに嵌合させる際の溝７、８の深さ寸法と、補強部材５の固定部５ｂの長さ寸法とを合わせた寸法となるよう形成されている。凹所１２ａ、１２ｂも凹所１１ａ、１１ｂと同様の構成とされている。
【００２７】
框材２、３の材質は、木質材であり、合板、木質繊維板、木削片板、混合板、集成材、単板積層材、無垢板により形成されている。
【００２８】
框材２、３の溝７、８には、図１に示すようにパネル板４の側部４ｃ、４ｄが嵌合されている。
パネル材４は、上下方向に延在するように矩形に形成された平板体であり、意匠又は採光性等の観点から透明又は半透明の部材により形成されている。パネル板４は、上述のように框材２、３の内側の溝７、８に嵌合することができるよう、框材２、３の厚みよりも厚み寸法が小とされている。
【００２９】
また、パネル材４の上下方向の長さ寸法は、框材２、３よりも補強部材５、６の厚み寸法分小寸法とされている。
このパネル材４の材質としては、強化ガラス等のガラス板、アクリル樹脂やポリカーボネート樹脂等からなる成形板脂等が好適に用いられる。
【００３０】
補強部材５は、図２（ａ）、図３に示すように、短冊形に形成された平板体であり、パネル材４が当接する補強部５ａと、その両端部に連設され框材２、３と固定される固定部５ｂ、５ｂとにより形成されている。この固定部５ｂ、５ｂには、取付孔１５ａ、１５ｂ、１５ｃ、１５ｄが形成されている。
補強部材５の長手方向の寸法は、框材２、３の各凹所１１ａ、１１ｂの両端部間の寸法と同寸法となるように形成されている。また、補強部材５の固定部５ｂの幅寸法及び長さ寸法は、取付孔１５ａ、１５ｂ及び１５ｃ、１５ｄの位置を幅方向及び長さ方向（框間方向）にずらし、同一の木目からずれた場所に位置させることができるように形成されている。
【００３１】
補強部材６も補強部材５と同様の構成であり、パネル材４に当接する補強部６ａと、その両端部に固定部６ｂ、６ｂが形成されており、該固定部６ｂ、６ｂには取付孔１６ａ、１６ｂ、１６ｃ、１６ｄが形成されている。
【００３２】
補強部材５の一端部に形成された取付孔１５ａ、１５ｂと１５ｃ、１５ｄとは、それぞれ框材２の厚み方向かつ框材２、３間方向に位置をずらした部分に形成されている。補強部材６の取付孔１５ａ、１５ｂと１５ｃ、１５ｄも同様に位置をずらした部分に形成されている。
補強部材５の材質としては、剛性の高い樹脂、鉄、スチール等の金属、木材等が好適に用いられる。
【００３３】
この構成において、複合ドア１Ａは、以下のようにして組み立てられる。
まず、框材２、３の溝７、８にパネル材４の側端部４ｃ、４ｄを嵌合させる。この際、溝７、８には接着剤を塗布しておき、パネル材４が框材２、３の溝７、８においてしっかりと接合されるようにする。
【００３４】
框材２、３の上下端面の凹所１１ａ、１１ｂ、１２ａ、１２ｂに、補強部材５、６を嵌め込む。
その上で、取付孔１５ａ〜１５ｄに雄螺子１７、１７・・を挿入し、框材２、３に対し螺入して補強部７、８を固定することにより、複合ドア１Ａの組み立てが完了する。
【００３５】
このようにして形成された複合ドア１Ａによると、平板形状の補強部材５、６が、框材２、３の間に渡って固定部５ｂ、６ｂにおいて固定されていることにより、複合ドア１Ａの開閉時における開閉方向の撓みが起こることを防止することができ、パネル材４及びパネル材４と框材２、３間の結合部を好適に補強することができるという効果が得られる。
【００３６】
また、框材２、３の上下端面２ｂ、３ｂ、２ｃ、３ｃの内方に凹所を形成することを要件としないため、固定部５ｂ、６ｂの幅寸法、すなわち框材厚み方向の寸法を制限されることなく確保することができ、螺子止めの位置の自由度が高まる。よって、框材の厚み方向かつ複数の框材間方向に位置をずらす等して、同一の木目上とならない位置において螺子止め手段により固定することにより、框材が割れてしまうという問題を回避することができるという効果が得られる。
【００３７】
また更に、螺子止めをする固定部５ｂ、６ｂが平板により形成され、框材２、３の上下端面２ｂ、３ｂ、２ｃ、３ｃに密着して固定することができるため、螺子止め等を容易かつ的確に行うことができ、更に、螺子止め手段による補強が確実になるという効果が得られる。
【００３８】
図４は、本発明の第２の実施形態を示す図である。
図４（ａ）、（ｂ）において、図２（ａ）、（ｂ）と同一の構成には同一符号を付し、その説明を省略する。
この実施形態による複合ドア１Ｂは、図４（ａ）に示すように、補強部材５に、框材２、３間方向に延在するように形成された矩形の開口部２０Ａが形成された構成とされている。補強部材６も補強部材５と同様の構成とされている。
この際、パネル材４の上下方向の長さ寸法は、框材２、３の上下方向の長さ寸法と略同一の寸法とされている。
この構成において、複合ドア１Ｂは、同図（ｂ）に示すように、パネル材４の上下端部４ａ、４ｂが開口部２０Ａ内に嵌合されている。
【００３９】
複合ドア１Ｂは、上記のような構成とすることにより、パネル材４が補強部材５、６によって直接に狭持、補強されるという効果が得られる。
その他、複合ドア１Ｂは、複合ドア１Ａの有する効果と同様の効果を得ることが出来る。
【００４０】
図５は、本発明の第３の実施形態を示す図である。
図５（ａ）、（ｂ）、（ｃ）において、図２から図４と同一の構成には同一符号を付し、その説明を省略する。
この実施形態による複合ドア１Ｃは、補強部材５、６の内方に形成された開口部２０Ｂの周縁部から前記パネル材４の板面に沿って延出する第１の補強壁部２５、２５が形成された構成とされている。また、框材２、３の上下端には、第１の補強壁部２５、２５の両端部が嵌合出来る溝部２６、２６・・が形成されている。
【００４１】
該第１の補強壁部２５、２５は、図５（ａ）、（ｃ）に示すように、この開口部２０Ｂに嵌合されたパネル材４の上下端部４ａ、４ｂの板面を狭持して補強するものである。
【００４２】
この第１の補強壁部２５、２５は、例えば金属板により形成され、図５（ｂ）に示すように、補強部材５、６の中央部に長手方向に形成された切れ目２１と、該切れ目２１の両端部に直交する方向に形成された切れ目２２、２２を、折れ線２３、２３において折曲して拡開させて形成されている。
【００４３】
複合ドア１Ｃは、上記の構成とすることにより、パネル材４が補強部材５、６によって直接に狭持、補強されるという効果が得られる。
また、補強部材５、６の補強部５ａ、６ａにおいて、開口した部分の壁部をパネル材４を補強する第１の補強壁部２５として機能させることが出来るため、補強部材を簡便に作製することができると共に、無駄なく使用することができるという効果が得られる。
【００４４】
図６は、本発明の第４の実施形態を示す図である。
図６（ａ）、（ｂ）、（ｃ）において、図２から図４と同一の構成には同一符号を付し、その説明を省略する。
この実施形態による複合ドア１Ｄは、図６（ａ）、（ｂ）に示すように、補強部材５、６の補強部５ａ、６ａにおいて、パネル材４の上下端面が当接する部分となる主補強壁部３０の側縁部を、パネル材４の板面に沿って立ち上がらせて延出させ、第２の補強壁部３１、３１とした構成とされている。この際、框材２、３の上下端には、第２の補強壁部３１、３１の両端部が嵌合出来る溝部２７、２７・・が形成されている。
固定部５ｂ、６ｂは、平板の形状とされている。
【００４５】
この際、パネル材４は、図６（ｃ）に示すように、補強部材５、６の厚み分長さ寸法が小とされている。
【００４６】
この構成の下に、パネル材４は、補強部５ａ、６ａにおいて略コ字形状とされた補強部材５、６によりその上下端部４ａ、４ｂが狭持、固定され、パネル材４及びパネル材４と框２、３材間の結合部を好適に補強することができるという効果が得られる。
【００４７】
以上、本発明の各実施形態について説明したが、上記の各実施形態における框材２、３は、左右対称となる構成とせずにそれぞれの幅寸法を適宜変更し、パネル材４の配置を様々に変更してもよい。
【００４８】
また、３以上の框材の間にパネル材を複数配置する構成としてもよい。
【００４９】
また更に、複数の框材を同一の基準面において上下方向に互いに間隔を置いて配置し、該複数の框材の間に１以上のパネル材を配置する構成としてもよい。
【００５０】
また、補強部材５、６は、框材２、３の上下端面２ｂ、３ｂ、２ｃ、３ｃに形成された凹所１１ａ、１１ｂ、１２ａ、１２ｂに嵌合されるとしているが、補強部材５、６を薄板により形成することにより、凹所１１ａ、１１ｂ等を有しない全体が平坦な上下端面２ｂ、３ｂ等に配置する構成としてもよい。
【００５１】
また、補強部材５、６の幅寸法を（又は凹所１１ａ、１１ｂ、１２ａ、１２ｂの幅寸法についても）框材２、３の厚み寸法と同寸法とし、補強部材５、６を框材２、３の厚み幅一杯に覆う構成としても良い。
このような構成とすることで、框材２、３が早成樹等の剛性の低い木質材を芯材とし、これを剛性の高い平板材で挟んで形成されている場合であっても、框材２、３の剛性の高い板材の部分で螺子止めをすることができるという効果が得られる。
【符号の説明】
【００５２】
１Ａ〜１Ｄ      複合ドア
２、３          框材
２ａ、３ａ      側面
２ｂ、２ｃ      上端面（端面）
３ｂ、３ｃ      下端面（端面）
４              パネル材
４ｃ、４ｄ      側部
５、６          補強部材
５ａ、６ａ      補強部
５ｂ、６ｂ      固定部
７、８          溝
１５ａ〜１５ｄ  取付孔
１６ａ〜１６ｄ  取付孔
２０Ａ、２０Ｂ  開口部
２５            第１の補強壁部
３０            主補強壁部
３１            第２の補強壁部
【図１】
0005518414.tif 000002
【図２】
0005518414.tif 000003
【図３】
0005518414.tif 000004
【図４】
0005518414.tif 000005
【図５】
0005518414.tif 000006
【図６】
0005518414.tif 000007
【図７】
0005518414.tif 000008